(57)【特許請求の範囲】
【請求項１】
操作パネルと該操作パネルを用いて描画される図形オブジェクトとを含む画像を表示するための表示画面が水平に設置される表示部と、
表示画面上に設けられ、表示画面内の位置を入力する入力部と、
前記入力部によって入力された位置に応じた処理を実行する制御部であって、
前記入力部によって入力された位置が、前記操作パネル上であるか否か、および前記図形オブジェクト上であるか否かを判定し、
前記入力部によって入力された位置が、前記操作パネル上である、または前記図形オブジェクト上であると判定した場合には、図形オブジェクトを描画する予め定める処理を実行し、
前記入力部によって入力された位置が、前記操作パネル上ではなく、かつ前記図形オブジェクト上ではないと判定した場合には、入力部によって入力された位置に応じて表示画面を分割領域に分割し、表示画面に表示する表示画像を縮小し、縮小した縮小画像を、分割された各分割領域に表示する制御部と、を含み、
前記表示部の表示画面は、矩形であり、予め定める数の領域に分割され、
前記入力部は、直線で表示画面を分割することを指示するための第１の線の開始位置および終了位置を入力し、
前記制御部は、第１の線の開始位置が前記予め定める数の領域のうちの１つの領域である第１の領域にあり、かつ第１の線の終了位置が前記予め定める数の領域のうちの１つの領域である、第１の領域とは異なる第２の領域にあるとき、直線で表示画面を分割することを特徴とする表示装置。
【請求項２】
前記制御部は、各分割領域内に表示される前記縮小画像の上側を、前記直線に接する側に配置させることを特徴とする請求項１に記載の表示装置。
【請求項３】
前記入力部は、前記予め定める一辺に直交する直線で表示画面を分割することを指示するための第２の線の開始位置および終了位置をさらに入力し、
前記制御部は、第２の線の開始位置が前記予め定める数の領域のうちの１つの領域である、第１の領域および第２の領域とは異なる第３の領域にあり、かつ第２の線の終了位置が前記予め定める数の領域のうちの１つの領域である、第１の領域、第２の領域および第３の領域とは異なる第４の領域にあるとき、前記予め定める一辺に直交する直線で表示画面をさらに分割することを特徴とする請求項１または２に記載の表示装置。
【請求項４】
前記第２の線の数は、予め定める最大数以下の数を取り得ることを特徴とする請求項３に記載の表示装置。
【請求項５】
前記制御部は、第１の線の終了位置が前記入力部によって入力された後、予め定める時間内に前記入力部によって入力された位置を、第２の線の開始位置とすることを特徴とする請求項３または４に記載の表示装置。
【請求項６】
前記入力部は、タブレットによって構成されることを特徴とする請求項１〜５のいずれか１つに記載の表示装置。
【請求項７】
操作パネルと該操作パネルを用いて描画される図形オブジェクトとを含む画像を表示するための、矩形であり、予め定める数の領域に分割された表示画面が水平に設置される表示部と、表示画面上に設けられる入力部とを含む表示装置で実行される表示方法であって、
入力部によって表示画面内の位置が入力される入力ステップと、
入力ステップで入力された位置が、前記操作パネル上であるか否か、および前記図形オブジェクト上であるか否かを判定する判定ステップと、
判定ステップで、入力ステップで入力された位置が、前記操作パネル上である、または前記図形オブジェクト上であると判定した場合には、図形オブジェクトを描画する予め定める処理を実行するステップと、
判定ステップで、入力ステップで入力された位置が、前記操作パネル上ではなく、かつ前記図形オブジェクト上ではないと判定した場合には、入力ステップで入力された位置に応じて表示画面を分割領域に分割する分割ステップと、
表示画面に表示する表示画像を縮小する縮小ステップと、
縮小ステップで縮小された縮小画像を、分割ステップで分割された各分割領域に表示する表示ステップとを含み、
前記分割ステップでは、入力ステップにおいて直線で表示画面を分割することを指示するための第１の線の開始位置および終了位置が入力されると、第１の線の開始位置が前記予め定める数の領域のうちの１つの領域である第１の領域にあり、かつ第１の線の終了位置が前記予め定める数の領域のうちの１つの領域である、第１の領域とは異なる第２の領域にあるとき、直線で表示画面を分割することを特徴とする表示方法。
【発明の詳細な説明】
【技術分野】
【０００１】
本発明は、表示画面を水平に設置する表示装置および表示方法に関する。
【背景技術】
【０００２】
タッチパネルは、ディスプレイへの直接入力に使われる入力デバイスであり、液晶ディスプレイ（Liquid Crystal Display：以下「ＬＣＤ」という）などの表示装置と一体化して使用される。タッチパネルの用途例の１つとして、ホワイトボードやタッチパネルを使ったテーブル型ディスプレイ（以下「タッチテーブル」という）がある。
【０００３】
タッチテーブルは、タッチパネルをディスプレイに一体化したタッチパネル一体型ディスプレイを床面に対して水平に配置したテーブルで、複数のユーザが画像を共有して、議論するために用いられる。 
【０００４】
水平に配置したタッチテーブルを挟んで複数のユーザが対面して着座し、１枚の表示画像を表示した場合、表示画像に正対するユーザには読み易いが、対面する正対していないユーザ、つまり表示画像を反対方向からみるユーザには読み難いという問題がある。
【０００５】
第１の従来技術として、特許文献１に記載される電子会議支援テーブルがある。この電子会議支援テーブルは、タッチセンサを内蔵した表示部を天板に有する円形のテーブル天板である。表示部は、遮光部材によって４方向について正立した文字または画像を表示することができる。
【０００６】
第２の従来技術として、特許文献２に記載される情報処理システムがある。この情報処理システムは、テーブル型のディスプレイ装置を囲む４人のユーザが１つのマウスを操作する場合、各ユーザによるマウスの操作方向を変換して、ディスプレイに表示されるカーソルの位置を移動させる。
【０００７】
第３の従来技術として、特許文献３に記載される画像表示制御システムがある。この画像表示制御システムは、４人掛けの円卓あるいは６人掛けの四角いテーブルであって、表面に画像を表示する表示部が設けられている画像表示テーブルを備える。表示部は、タッチパネルであり、共有領域と座席に対応した専有領域とに分割されている。各専有領域に表示される画像は、共有許可の設定がされている専有領域との間でやりとりすることができる。
【先行技術文献】
【特許文献】
【０００８】
【特許文献１】特開２０１０−１７６２１４号公報
【特許文献２】特開２００９−１９３４７２号公報
【特許文献３】特開２００５−３５２５７９号公報
【発明の概要】
【発明が解決しようとする課題】
【０００９】
しかしながら、第１の従来技術は、個々の文字等は４方向について正立するものであるが、文字間の位置関係は各方向から見ると異なったものとなっている。第２の従来技術は、マウスの操作方向を変換してディスプレイに表示されるカーソルを移動させるものであり、画像の表示方向を変えるものではない。第３の従来技術は、表示部が座席数に応じて予め分割されており、人数に応じて分割数を変化させることはできない。
【００１０】
本発明の目的は、簡単な操作で表示画面を分割し、共通の画像をそれぞれの分割領域に表示することができる表示装置および表示方法を提供することである。
【課題を解決するための手段】
【００１１】
本発明は、操作パネルと該操作パネルを用いて描画される図形オブジェクトとを含む画像を表示するための表示画面が水平に設置される表示部と、
表示画面上に設けられ、表示画面内の位置を入力する入力部と、
前記入力部によって入力された位置に応じた処理を実行する制御部であって、
前記入力部によって入力された位置が、前記操作パネル上であるか否か、および前記図形オブジェクト上であるか否かを判定し、
前記入力部によって入力された位置が、前記操作パネル上である、または前記図形オブジェクト上であると判定した場合には、図形オブジェクトを描画する予め定める処理を実行し、
前記入力部によって入力された位置が、前記操作パネル上ではなく、かつ前記図形オブジェクト上ではないと判定した場合には、入力部によって入力された位置に応じて表示画面を分割領域に分割し、表示画面に表示する表示画像を縮小し、縮小した縮小画像を、分割された各分割領域に表示する制御部と、を含み、
前記表示部の表示画面は、矩形であり、予め定める数の領域に分割され、
前記入力部は、直線で表示画面を分割することを指示するための第１の線の開始位置および終了位置を入力し、
前記制御部は、第１の線の開始位置が前記予め定める数の領域のうちの１つの領域である第１の領域にあり、かつ第１の線の終了位置が前記予め定める数の領域のうちの１つの領域である、第１の領域とは異なる第２の領域にあるとき、直線で表示画面を分割することを特徴とする表示装置である。
【００１３】
また本発明は、前記制御部は、各分割領域内に表示される前記縮小画像の上側を、前記直線に接する側に配置させることを特徴とする。
【００１４】
また本発明は、前記入力部は、前記予め定める一辺に直交する直線で表示画面を分割することを指示するための第２の線の開始位置および終了位置をさらに入力し、
前記制御部は、第２の線の開始位置が前記予め定める数の領域のうちの１つの領域である、第１の領域および第２の領域とは異なる第３の領域にあり、かつ第２の線の終了位置が前記予め定める数の領域のうちの１つの領域である、第１の領域、第２の領域および第３の領域とは異なる第４の領域にあるとき、前記予め定める一辺に直交する直線で表示画面をさらに分割することを特徴とする。
【００１５】
また本発明は、前記第２の線の数は、予め定める最大数以下の数を取り得ることを特徴とする。
【００１６】
また本発明は、前記制御部は、第１の線の終了位置が前記入力部によって入力された後、予め定める時間内に前記入力部によって入力された位置を、第２の線の開始位置とすることを特徴とする。
【００１７】
また本発明は、前記入力部は、タブレットによって構成されることを特徴とする。
【００１８】
また本発明は、操作パネルと該操作パネルを用いて描画される図形オブジェクトとを含む画像を表示するための、矩形であり、予め定める数の領域に分割された表示画面が水平に設置される表示部と、表示画面上に設けられる入力部とを含む表示装置で実行される表示方法であって、
入力部によって表示画面内の位置が入力される入力ステップと、
入力ステップで入力された位置が、前記操作パネル上であるか否か、および前記図形オブジェクト上であるか否かを判定する判定ステップと、
判定ステップで、入力ステップで入力された位置が、前記操作パネル上である、または前記図形オブジェクト上であると判定した場合には、図形オブジェクトを描画する予め定める処理を実行するステップと、
判定ステップで、入力ステップで入力された位置が、前記操作パネル上ではなく、かつ前記図形オブジェクト上ではないと判定した場合には、入力ステップで入力された位置に応じて表示画面を分割領域に分割する分割ステップと、
表示画面に表示する表示画像を縮小する縮小ステップと、
縮小ステップで縮小された縮小画像を、分割ステップで分割された各分割領域に表示する表示ステップとを含み、
前記分割ステップでは、入力ステップにおいて直線で表示画面を分割することを指示するための第１の線の開始位置および終了位置が入力されると、第１の線の開始位置が前記予め定める数の領域のうちの１つの領域である第１の領域にあり、かつ第１の線の終了位置が前記予め定める数の領域のうちの１つの領域である、第１の領域とは異なる第２の領域にあるとき、直線で表示画面を分割することを特徴とする表示方法である。
【発明の効果】
【００１９】
本発明によれば、表示部は、操作パネルと該操作パネルを用いて描画される図形オブジェクトとを含む画像を表示するための表示画面が水平に設置される。入力部は、表示画面上に設けられ、表示画面内の位置を入力する。制御部は、入力部によって入力された位置に応じた処理を実行する。制御部は、入力部によって入力された位置が、前記操作パネル上であるか否か、および前記図形オブジェクト上であるか否かを判定し、前記操作パネル上である、または前記図形オブジェクト上であると判定した場合には、図形オブジェクトを描画する予め定める処理を実行し、前記操作パネル上ではなく、かつ前記図形オブジェクト上ではないと判定した場合には、入力部によって入力された位置に応じて表示画面を分割領域に分割し、表示画面に表示する表示画像を縮小し、縮小した縮小画像を、分割された各分割領域に表示する。したがって、ユーザは、表示画面内の位置を指示するだけの簡単な操作で表示画面を分割し、共通の画像をそれぞれの分割領域に表示することができる。
【００２０】
また、前記表示部の表示画面は、矩形であり、予め定める数の領域に分割される。前記入力部は、直線で表示画面を分割することを指示するための第１の線の開始位置および終了位置を入力する。そして、前記制御部は、第１の線の開始位置が前記予め定める数の領域のうちの１つの領域である第１の領域にあり、かつ第１の線の終了位置が前記予め定める数の領域のうちの１つの領域である、第１の領域とは異なる第２の領域にあるとき、直線で表示画面を分割する。したがって、ユーザは、指示具で表示画面に線を引くだけで、表示画面を２分割することができる。
【００２１】
また本発明によれば、前記制御部は、各分割領域内に表示される前記縮小画像の上側を、前記直線に接する側に配置させる。したがって、表示装置は、対面して着座するそれぞれのユーザに対して、上下方向が見易い方向に調整された表示画像を表示することができる。
【００２２】
また本発明によれば、前記入力部は、前記予め定める一辺に直交する直線で表示画面を分割することを指示するための第２の線の開始位置および終了位置をさらに入力する。そして、前記制御部は、第２の線の開始位置が前記予め定める数の領域のうちの１つの領域である、第１の領域および第２の領域とは異なる第３の領域にあり、かつ第２の線の終了位置が前記予め定める数の領域のうちの１つの領域である、第１の領域、第２の領域および第３の領域とは異なる第４の領域にあるとき、前記予め定める一辺に直交する直線で表示画面をさらに分割する。したがって、ユーザは、表示画面を予め定める一辺の方向にも分割することができる。
【００２３】
また本発明によれば、前記第２の線の数は、予め定める最大数以下の数を取り得る。したがって、ユーザは、予め定める一辺の方向の分割数を１から予め定める数＋１まで変化させることができ、人数に応じた分割を行うことができる。
【００２４】
また本発明によれば、前記制御部は、第１の線の終了位置が前記入力部によって入力された後、予め定める時間内に前記入力部によって入力された位置を、第２の線の開始位置とする。したがって、表示装置は、分割するために入力される位置以外の位置の入力による誤分割を低減することができる。
【００２５】
また本発明によれば、前記入力部は、タブレットによって構成される。したがって、メーカは、容易に入力部を形成することができる。
【００２６】
また本発明によれば、操作パネルと該操作パネルを用いて描画される図形オブジェクトとを含む画像を表示するための、矩形であり、予め定める数の領域に分割された表示画面が水平に設置される表示部と、表示画面上に設けられる入力部とを含む表示装置で実行される表示方法で画像を表示するにあたって、入力ステップでは、入力部によって表示画面内の位置が入力される。判定ステップでは、入力ステップで入力された位置が、前記操作パネル上であるか否か、および前記図形オブジェクト上であるか否かを判定する。予め定める処理を実行するステップでは、判定ステップで、入力ステップで入力された位置が、前記操作パネル上である、または前記図形オブジェクト上であると判定した場合には、図形オブジェクトを描画する予め定める処理を実行する。分割ステップでは、判定ステップで、入力ステップで入力された位置が、前記操作パネル上ではなく、かつ前記図形オブジェクト上ではないと判定した場合には、入力ステップで入力された位置に応じて表示画面を分割領域に分割する。そして、縮小ステップでは、表示画面に表示する表示画像を縮小する。表示ステップでは、縮小ステップで縮小された縮小画像を、分割ステップで分割された各分割領域に表示する。したがって、ユーザは、表示画面内の位置を指示するだけの簡単な操作で表示画面を分割し、共通の画像をそれぞれの分割領域に表示することができる。
また、分割ステップでは、入力ステップにおいて直線で表示画面を分割することを指示するための第１の線の開始位置および終了位置が入力されると、第１の線の開始位置が前記予め定める数の領域のうちの１つの領域である第１の領域にあり、かつ第１の線の終了位置が前記予め定める数の領域のうちの１つの領域である、第１の領域とは異なる第２の領域にあるとき、直線で表示画面を分割する。したがって、ユーザは、指示具で表示画面に線を引くだけで、表示画面を２分割することができる。
【図面の簡単な説明】
【００２７】
【図１】本発明の一実施形態である表示装置１の構成を示すブロック図である。
【図２】画面の２分割を説明するための図である。
【図３】画面の４分割を説明するための図である。
【図４】画面を分割するためのタッチ操作とはしないタッチ操作を説明するための図である。
【図５】タッチ開始・終了位置の判定を説明するための図である。
【図６】タッチ操作判定処理の処理手順を示すフローチャートである。
【図７】画面２分割処理の処理手順を示すフローチャートである。
【図８】画面４分割処理の処理手順を示すフローチャートである。
【発明を実施するための形態】
【００２８】
図１は、本発明の一実施形態である表示装置１の構成を示すブロック図である。本発明に係る表示方法は、表示装置１で実行される。表示装置１は、中央処理装置（Central Processing Unit：以下「ＣＰＵ」という）１１、１次記憶装置１２、２次記憶装置１３、ディスプレイ１４、表示データ処理部１５、タッチパネル１６、タッチパネルデータ処理部１７および時計１８を含んで構成される。
【００２９】
ＣＰＵ１１は、１次記憶装置１２に記憶されるプログラムを実行することによって、ディスプレイ１４、表示データ処理部１５、タッチパネル１６、タッチパネルデータ処理部１７および時計１８を制御する。ＣＰＵ１１は、分割部および制御部を構成する。
【００３０】
１次記憶装置１２は、たとえばランダムアクセスメモリ（Random Access Memory：以下「ＲＡＭ」という）などの半導体メモリによって構成される。１次記憶装置１２は、ＣＰＵ１１で実行されるプログラム、およびＣＰＵ１１がプログラムを実行するために必要な情報を記憶する。１次記憶装置１２に記憶される情報は、ＣＰＵ１１によって書き込みおよび読み出しが行われる。１次記憶装置１２は、たとえばディスプレイ表示情報１２１、タッチパネル入力座標１２２、操作パネル表示情報１２３、図形オブジェクト表示情報１２４、タッチ開始座標１２６およびタッチ終了時刻１２７などの情報を記憶する。
【００３１】
ディスプレイ表示情報１２１は、ディスプレイ１４に表示するための表示画像を表す表示画像情報である。タッチパネル入力座標１２２は、タッチパネル１６の領域のうち、入力可能な領域をＸＹ座標で表す情報である。ＸＹ座標は、後述するディスプレイ１４が有する表示画面内の位置を表す座標であり、たとえば、表示画面が矩形であり、表示画面の予め定める一辺を手前側とするとき、表示画面の左上を原点とし、右方向がＸ軸の正方向、かつ下方向がＹ軸の正方向である座標として表わされる。
【００３２】
操作パネル表示情報１２３は、ディスプレイ１４に表示する操作パネルの画像を表す操作パネル画像情報、ならびに操作パネルを表示する座標および操作パネルの画像のサイズなどの情報を含む。図形オブジェクト表示情報１２４は、操作パネルを用いて描画された図形のオブジェクトの画像を表す図形オブジェクト画像情報、ならびに図形のオブジェクトを表示する座標および図形オブジェクトのサイズなどの情報を含む。
【００３３】
タッチ開始座標１２６およびタッチ終了時刻１２７は、１次記憶装置１２に設けられる状態記憶領域１２５に記憶される。タッチ開始座標１２６は、一連のタッチ操作のうち最初のタッチ操作として、指示具が最初にタッチパネル１６に触れた位置の座標である。タッチ操作とは、指示具がタッチパネル１６に触れたまま表示画面の一辺側から対向する他辺側に移動する操作である。一連のタッチ操作とは、１つのタッチ操作から次のタッチ操作への時間が一定時間内に行われるとき、それらのタッチ操作のことをいう。タッチ終了時刻１２７は、最初のタッチ操作で指示具が終了位置でタッチパネル１６から離れた時刻である。
【００３４】
２次記憶装置１３は、たとえばハードディスク装置（Hard Disk Drive：以下「ＨＤＤ」という）によって構成される。２次記憶装置１３に記憶される情報は、ＣＰＵ１１によって書き込みおよび読み出しが行われる。２次記憶装置１３は、ＣＰＵ１１で実行するためのソフトウエアプログラム（以下「ソフトウエア」という）１３１およびドライバプログラム（以下「ドライバ」という）１３２、ならびに継続タッチ判定時間１３３を記憶する。
【００３５】
２次記憶装置１３に記憶されるソフトウエア１３１およびドライバ１３２は、表示装置１の電源が投入された後、２次記憶装置１３から読み出され、読み出されたソフトウエア１３１およびドライバ１３２は、１次記憶装置１２に記憶され、１次記憶装置１２から読み出されて実行される。予め定める時間である継続タッチ判定時間１３３は、継続するタッチ操作であるか否かを判定するために時間である。継続するタッチ操作とは、一連のタッチ操作に含まれるタッチ操作である。
【００３６】
表示部であるディスプレイ１４は、たとえば液晶ディスプレイによって構成される。ディスプレイ１４は、矩形の表示画面（以下「画面」ともいう）を有し、表示画面が水平になるように設置される。ディスプレイ１４は、表示データ処理部１５から受け取る画像情報を画像として表示する。表示データ処理部１５は、ＣＰＵ１１から受け取る画像情報をディスプレイ１４の仕様に合うように変換し、変換した画像情報をディスプレイ１４に送る。表示データ処理部１５は、たとえば表示ドライバであり、ＣＰＵ１１によって実行される機能である。
【００３７】
入力部であるタッチパネル１６は、たとえばタブレットによって構成され、タッチペンや指などの指示具がタッチパネル１６に触れているか否かを検出する。そして、指示具がタッチパネル１６に触れていることを検出したとき、指示具がタッチパネル１６に触れている位置を検出し、検出した位置を表す位置情報を、タッチパネルデータ処理部１７に送る。タッチパネル１６は、ディスプレイ１４の表示画面の上に重ねて実装される。タッチパネル１６は、透明の部材によって構成され、ディスプレイ１４に表示される画像を透過する。
【００３８】
タッチパネルデータ処理部１７は、タッチパネル１６から受け取る位置情報を、ディスプレイ１４の表示画面の位置情報に変換し、変換した位置情報をＣＰＵ１１に送る。タッチパネルデータ処理部１７は、たとえばタッチパネルドライバであり、ＣＰＵ１１によって実行される機能である。
【００３９】
ＣＰＵ１１は、タッチパネルデータ処理部１７から最初に知らされる位置情報が示す位置をタッチ開始位置とし、タッチパネルデータ処理部１７から継続して知らされる位置情報が途切れたとき、最後に知らされていた位置情報が示す位置をタッチ終了位置とする。タッチ開始位置は、開始位置であり、タッチ終了位置は、終了位置である。
【００４０】
時計１８は、時刻を計時するリアルタイムクロック（Real Time Clock：以下「ＲＴＣ」という）によって構成される。時計１８は、ＣＰＵ１１内に配置される。ＣＰＵ１１は、時計１８を参照することによって、時刻を把握し、また時間を計測することができる。ＣＰＵ１１は、時計１８を、一連のタッチ操作が終了したか否かを判定するための時間計測に用いる。
【００４１】
図２は、画面の２分割を説明するための図である。図２では、４人のユーザが、図２の上段および下段に、表示画面２０を挟んで、２人ずつ対面している着座している。図２（ａ）は、分割前の表示画面２０であり、図２（ｂ）は、分割後の表示画面２０である。４人のユーザのうち、予め定める一辺である辺２５側に居る２人のユーザ２ａが正方向のユーザであり、辺２５に対向する他辺側に居る２人のユーザ２ｂが逆方向のユーザである。
【００４２】
図２（ａ）では、表示画面２０は、辺２５側から見て、画像２２、たとえば「Ａ」という文字の画像が、正しい方向で表示されている。正しい方向とは、ユーザから見て、画像の下側が手前にあり、画像の上側が奥側に配置される方向である。表示画面２０の左端には、操作パネル２１が表示されている。
【００４３】
たとえば１人のユーザ２ａは、表示画面２０を上下に分割するために、指示具、たとえば指３を、表示画面２０の上下方向の中心付近の位置ａでタッチパネル１６に触れて、辺２５に平行になるように、位置ａから位置ｂまで移動し、位置ｂで指３をタッチパネル１６から離す。位置ａが、タッチ開始位置であり、位置ｂがタッチ終了位置である。位置ａから位置ｂまでの線２３は、第１の線である。
【００４４】
図２（ｂ）では、表示画面２０が辺２５に平行な直線２４によって、下表示領域２０ａおよび上表示領域２０ｂの２つの領域に等分に２分割されている。下表示領域２０ａには、画像２２が縮小された縮小画像２２ａおよび操作パネル２１が縮小された縮小操作パネル２１ａが表示されている。上表示領域２０ｂには、画像２２が縮小された縮小画像２２ｂおよび操作パネル２１が縮小された縮小操作パネル２１ｂが、上下左右が反転されて、つまり１８０度回転されて表示されている。
【００４５】
図３は、画面の４分割を説明するための図である。図３でも、図２（ａ）と同様に、４人のユーザが、図３の上段および下段に、表示画面２０を挟んで、２人ずつ対面している着座している。図３（ａ）は、分割前の表示画面２０であり、図３（ｂ）は、分割後の表示画面２０である。図３（ａ）には、図２（ａ）と同様に、画像２２および操作パネル２１が表示されている。
【００４６】
図３（ａ）では、図２（ａ）と同様に、たとえば１人のユーザ２ａが、指３を位置ａから位置ｂまで移動した後、続いて、表示画面２０を左右に分割するために、指３を、表示画面２０の左右方向の中心付近の位置ｃでタッチパネル１６に触れて、辺２５に直交する方向に、位置ｃから位置ｄまで移動し、位置ｄで指３をタッチパネル１６から離す。位置ｃが、タッチ開始位置であり、位置ｄがタッチ終了位置である。位置ｃから位置ｄまでの線２６は、第２の線である。
【００４７】
図３（ｂ）では、表示画面２０が、辺２５に平行な直線２４、および辺２５に直交する直線２７によって、左下表示領域２０ｃ、右下表示領域２０ｄ、左上表示領域２０ｅおよび右上表示領域２０ｆの４つの領域に等分に分割されている。左下表示領域２０ｃには、画像２２が縮小された縮小画像２２ｃ、および操作パネル２１が縮小された縮小操作パネル２１ｃが表示され、同様に、右下表示領域２０ｄには、画像２２が縮小された縮小画像２２ｄ、および操作パネル２１が縮小された縮小操作パネル２１ｄが表示されている。左上表示領域２０ｅには、画像２２が縮小された縮小画像２２ｅ、および操作パネル２１が縮小された縮小操作パネル２１ｅが、上下左右が反転されて、つまり１８０度回転されて表示され、同様に、右上表示領域２０ｆには、画像２２が縮小された縮小画像２２ｆ、および操作パネル２１が縮小された縮小操作パネル２１ｆが、上下左右が反転されて、つまり１８０度回転されて表示されている。
【００４８】
図４は、画面を分割するためのタッチ操作とはしないタッチ操作を説明するための図である。図４（ａ）は、操作パネル２１を表示する表示画面２０であり、図４（ｂ）は、図形オブジェクト３１を表示する表示画面２０である。
【００４９】
操作パネル２１には、図形のオブジェクトを描画するためのツール、たとえばペンや消しゴムなどのボタンが表示される。ユーザは、指示具、たとえば指３で操作パネル２１のいずれかのボタンに触れることによって、ツールを選択することができる。また、ＣＰＵ１１は、タッチパネルデータ処理部１７から、図４（ａ）に示すように、操作パネル２１が表示されている位置に、指示具、たとえば指３が触れたことを知らされても、画面を分割するためのタッチ操作であるとは、判断しない。つまり、ＣＰＵ１１は、タッチパネルデータ処理部１７から知らされた位置情報が示す位置を、タッチ開始位置であるとは判断しない。
【００５０】
また、ＣＰＵ１１は、タッチパネルデータ処理部１７から、図４（ｂ）に示すように、図形オブジェクト３１が表示されている位置に、指示具、たとえば指３が触れたことを知らされても、画面を分割するためのタッチ操作であるとは、判断しない。つまり、ＣＰＵ１１は、タッチパネルデータ処理部１７から知らされた位置情報が示す位置を、タッチ開始位置であるとは判断しない。この場合、図形オブジェクト３１の範囲は、点線で囲んだ領域３２である。
【００５１】
図５は、タッチ開始・終了位置の判定を説明するための図である。ＣＰＵ１１は、画面を分割するためのタッチ開始位置およびタッチ終了位置を認識するために、表示画面２０を９つの領域に分割する。具体的には、ＣＰＵ１１は、辺２５を下側として、上下方向を上段、中段および下段に３等分するとともに、左右方向を左端、中央および右側に３等分する。以下、上段左側の領域を左上領域２０１、上段中央の領域を上中央領域２０２、上段右側の領域を右上領域２０３、中段左側の領域を左中央領域２０４、中段中央の領域を中央領域２０５、中段右側の領域を右中央領域２０６、下段左側の領域を左下領域２０７、下段中央の領域を下中央領域２０８、および下段右側の領域を右下領域２０９という。
【００５２】
９つの領域は、予め定める数の領域である。左中央領域２０４は、第１の領域であり、左中央領域２０４が、第１の領域であるとき、右中央領域２０６は、第２の領域であり、上中央領域２０２は、第３の領域であり、下中央領域２０８は、第４の領域である。また、右中央領域２０６は、第１の領域であり、右中央領域２０６が、第１の領域であるとき、左中央領域２０４は、第２の領域であり、下中央領域２０８は、第３の領域であり、上中央領域２０２は、第４の領域である。
【００５３】
表示画面２０を上下の表示領域に分割する場合、タッチ開始位置が左中央領域２０４であり、かつタッチ終了位置が右中央領域２０６であるとき、ＣＰＵ１１は、上下に分割するタッチ操作であると判断する。また、辺２５に対向する辺２８側にいるユーザ２ｂが操作する場合も考慮して、タッチ開始位置が右中央領域２０６であり、かつタッチ終了位置が左中央領域２０４であるときも、ＣＰＵ１１は、上下に分割するタッチ操作であると判断する。
【００５４】
表示画面２０を左右の表示領域に分割する場合、タッチ開始位置が上中央領域２０２であり、かつタッチ終了位置がした下中央領域２０８であるとき、ＣＰＵ１１は、左右に分割するタッチ操作であると判断する。また、辺２５に対向する辺２８側にいるユーザ２ｂが操作する場合も考慮して、タッチ開始位置が下中央領域２０８であり、かつタッチ終了位置が上中央領域２０２であるときも、ＣＰＵ１１は、左右に分割するタッチ操作であると判断する。
【００５５】
図６は、タッチ操作判定処理の処理手順を示すフローチャートである。表示装置１の電源が投入され、動作可能状態になると、あるいは操作パネル２１に含まれるボタン、たとえば分割のない画面に戻すためのボタンに、指示具、たとえば指３で触れると、ステップＡ１に移る。
【００５６】
ステップＡ１では、ＣＰＵ１１は、表示画像を表示画面に表示する。このとき、表示画面は表示領域に分割されていない状態である。ステップＡ２では、ＣＰＵ１１は、タッチパネルデータ処理部１７からタッチ開始位置が知らされるまで待機し、タッチパネルデータ処理部１７からタッチ開始位置が知らされると、タッチ開始位置を表すタッチ開始座標をタッチパネルデータ処理部１７から取得する。
【００５７】
ステップＡ３では、ＣＰＵ１１は、タッチ開始位置が操作パネル２１の上であるか否かを判定する。ＣＰＵ１１は、ステップＡ２で取得したタッチ開始座標が示すタッチ開始位置が、１次記憶装置１２に記憶される操作パネル表示情報１２３が示す操作パネル２１が表示される座標の位置にあるとき、タッチ開始位置が操作パネル２１の上であると判定して、ステップＡ１５に進む。ＣＰＵ１１は、ステップＡ２で取得したタッチ開始座標が示すタッチ開始位置が、１次記憶装置１２に記憶される操作パネル表示情報１２３が示す操作パネル２１が表示される座標の位置にないとき、タッチ開始位置が操作パネル２１の上でないと判定して、ステップＡ４に進む。
【００５８】
ステップＡ４では、ＣＰＵ１１は、タッチ開始位置が図形オブジェクト３１の上であるか否かを判定する。ＣＰＵ１１は、ステップＡ２で取得したタッチ開始座標が示すタッチ開始位置が、１次記憶装置１２に記憶される図形オブジェクト表示情報１２４が示す図形オブジェクト３１が表示される座標の位置にあるとき、タッチ開始位置が図形オブジェクト３１の上であると判定して、ステップＡ１６に進む。ＣＰＵ１１は、ステップＡ２で取得したタッチ開始座標が示すタッチ開始位置が、１次記憶装置１２に記憶される図形オブジェクト表示情報１２４が示す図形オブジェクト３１が表示される座標の位置にないとき、タッチ開始位置が図形オブジェクト３１の上でないと判定して、ステップＡ５に進む。
【００５９】
ステップＡ５では、ＣＰＵ１１は、タッチ開始位置が表示画面２０の左中央領域２０４または右中央領域２０６であるか否かを判定する。ＣＰＵ１１は、ステップＡ２で取得したタッチ開始座標が示すタッチ開始位置が、表示画面２０の左中央領域２０４または右中央領域２０６であるとき、ステップＡ６に進み、ステップＡ２で取得したタッチ開始座標が示すタッチ開始位置が、表示画面２０の左中央領域２０４または右中央領域２０６でないとき、タッチ操作判定処理を終了する。
【００６０】
ステップＡ６では、ＣＰＵ１１は、タッチパネルデータ処理部１７からタッチ終了位置が知らされるまで待機し、タッチパネルデータ処理部１７からタッチ終了位置が知らされると、タッチ終了位置を表すタッチ終了座標をタッチパネルデータ処理部１７から取得する。
【００６１】
ステップＡ７では、ＣＰＵ１１は、タッチ終了位置が表示画面２０の右中央領域２０６または左中央領域２０４であるか否かを判定する。具体的には、ＣＰＵ１１は、ステップＡ５で、ステップＡ２で取得したタッチ開始座標が示すタッチ開始位置が、表示画面２０の左中央領域２０４であると判定した場合は、ステップＡ６で取得したタッチ終了座標が示すタッチ終了位置が、表示画面２０の右中央領域２０６であるとき、ステップＡ８に進み、ステップＡ６で取得したタッチ終了座標が示すタッチ終了位置が、表示画面２０の右中央領域２０６でないとき、タッチ操作判定処理を終了する。また、ＣＰＵ１１は、ステップＡ５で、ステップＡ２で取得したタッチ開始座標が示すタッチ開始位置が、表示画面２０の右中央領域２０６であると判定した場合は、ステップＡ６で取得したタッチ終了座標が示すタッチ終了位置が、表示画面２０の左中央領域２０４であるとき、ステップＡ８に進み、ステップＡ６で取得したタッチ終了座標が示すタッチ終了位置が、表示画面２０の左中央領域２０４でないとき、タッチ操作判定処理を終了する。
【００６２】
ステップＡ８では、ＣＰＵ１１は、時計１８から現在の時刻を、タッチ終了時刻として、取得し、取得したタッチ終了時刻をタッチ終了時刻１２７として、１次記憶装置１２に記憶する。
【００６３】
ステップＡ９では、ＣＰＵ１１は、一定時間内にタッチが発生したか否かを判定する。具体的には、ＣＰＵ１１は、タッチパネルデータ処理部１７からタッチ開始位置が知らされるまで待機し、タッチパネルデータ処理部１７からタッチ開始位置が知らされると、時計１８から現在の時刻を取得し、取得した時刻から、１次記憶装置１２に記憶したタッチ終了時刻１２７を減算した時間が、２次記憶装置１３に記憶される継続タッチ判定時間１３３が示す時間内であるとき、一定時間内にタッチが発生したと判定し、ステップＡ１０に進み、取得した時刻から、１次記憶装置１２に記憶したタッチ終了時刻１２７を減算した時間が、２次記憶装置１３に記憶される継続タッチ判定時間１３３が示す時間内でないとき、一定時間内にタッチが発生しなかったと判定し、ステップＡ１７に進む。一定時間は、継続タッチ判定時間１３３が示す時間であり、たとえば１秒の時間である。ステップＡ１０では、ＣＰＵ１１は、タッチ開始位置を表すタッチ開始座標をタッチパネルデータ処理部１７から取得する。
【００６４】
ステップＡ１１では、ＣＰＵ１１は、タッチ開始位置が表示画面２０の上中央領域２０２または下中央領域２０８であるか否かを判定する。具体的には、ＣＰＵ１１は、ステップＡ５で、ステップＡ２で取得したタッチ開始座標が示すタッチ開始位置が、表示画面２０の左中央領域２０４であると判定した場合は、ステップＡ１０で取得したタッチ開始座標が示すタッチ開始位置が、表示画面２０の上中央領域２０２であるとき、ステップＡ１２に進み、ステップＡ１０で取得したタッチ開始座標が示すタッチ開始位置が、表示画面２０の上中央領域２０２でないとき、タッチ操作判定処理を終了する。また、ＣＰＵ１１は、ステップＡ５で、ステップＡ２で取得したタッチ開始座標が示すタッチ開始位置が、表示画面２０の右中央領域２０６であると判定した場合は、ステップＡ１０で取得したタッチ開始座標が示すタッチ開始位置が、表示画面２０の下中央領域２０８であるとき、ステップＡ１２に進み、ステップＡ１０で取得したタッチ開始座標が示すタッチ開始位置が、表示画面２０の下中央領域２０８でないとき、タッチ操作判定処理を終了する。
【００６５】
ステップＡ１２では、ＣＰＵ１１は、タッチパネルデータ処理部１７からタッチ終了位置が知らされるまで待機し、タッチパネルデータ処理部１７からタッチ終了位置が知らされると、タッチ終了位置を表すタッチ終了座標をタッチパネルデータ処理部１７から取得する。
【００６６】
ステップＡ１３では、ＣＰＵ１１は、タッチ開始位置が表示画面２０の下中央領域２０８または上中央領域２０２であるか否かを判定する。具体的には、ＣＰＵ１１は、ステップＡ１１で、ステップＡ１０で取得したタッチ開始座標が示すタッチ開始位置が、表示画面２０の上中央領域２０２であると判定した場合、ステップＡ１２で取得したタッチ終了座標が示すタッチ終了位置が、表示画面２０の下中央領域２０８であるとき、ステップＡ１４に進み、ステップＡ１２で取得したタッチ終了座標が示すタッチ終了位置が、表示画面２０の下中央領域２０８でないとき、タッチ操作判定処理を終了する。また、ＣＰＵ１１は、ステップＡ１１で、ステップＡ１０で取得したタッチ開始座標が示すタッチ開始位置が、表示画面２０の下中央領域２０８であると判定した場合、ステップＡ１２で取得したタッチ終了座標が示すタッチ終了位置が、表示画面２０の上中央領域２０２であるとき、ステップＡ１４に進み、ステップＡ１２で取得したタッチ終了座標が示すタッチ終了位置が、表示画面２０の上中央領域２０２でないとき、タッチ操作判定処理を終了する。
【００６７】
ステップＡ１４では、ＣＰＵ１１は、後述する画面４分割処理を実行して、タッチ操作判定処理を終了する。ステップＡ１５では、ＣＰＵ１１は、操作パネル処理を実行して、タッチ操作判定処理を終了する。操作パネル処理は、操作パネル２１に示されるボタンに応じた処理を実行する従来技術による処理であり、詳細な説明は省略する。ステップＡ１６では、ＣＰＵ１１は、図形オブジェクト処理を実行して、タッチ操作判定処理を終了する。図形オブジェクト処理は、図形オブジェクト３１を描画する従来技術による処理であり、詳細な説明は省略する。ステップＡ１７では、ＣＰＵ１１は、後述する画面２分割処理を実行して、タッチ操作判定処理を終了する。図６に示したステップＡ２〜ステップＡ１３は、入力ステップである。
【００６８】
図７は、画面２分割処理の処理手順を示すフローチャートである。図６に示したステップＡ１７が実行されると、ステップＢ１に移る。
【００６９】
ステップＢ１では、ＣＰＵ１１は、表示画面２０を上下の表示領域に分割する。具体的には、ＣＰＵ１１は、表示画面２０を直線２４によって上下に２等分し、図２（ｂ）に示した下表示領域２０ａおよび上表示領域２０ｂのように、２つの表示領域に分割する。
【００７０】
ステップＢ２では、ＣＰＵ１１は、表示画像を、縦横比を保持したまま、分割した表示領域に収まるように縮小する。たとえば、ＣＰＵ１１は、縦横をいずれも２分の１に縮小する。ステップＢ３では、ＣＰＵ１１は、ステップＢ２で縮小した表示画像を１８０度回転する。縮小した表示画像は、縮小画像である。
【００７１】
ステップＢ４では、ＣＰＵ１１は、ステップＢ２で縮小した表示画像、つまり１８０度回転されていない縮小した表示画像を下の表示領域に、ステップＢ３で回転した表示画像、つまり１８０度回転された縮小した表示画像を上の表示領域に、それぞれ表示して、画面２分割処理を終了する。具体的には、ＣＰＵ１１は、ステップＢ２で縮小した表示画像を下表示領域２０ａの中央に配置し、かつステップＢ３で回転した表示画像を上表示領域２０ｂの中央に配置するように合成し、合成した合成画像を、表示データ処理部１５に送り、ディスプレイ１４に表示させる。
【００７２】
図８は、画面４分割処理の処理手順を示すフローチャートである。図６に示したステップＡ１４が実行されると、ステップＣ１に移る。
【００７３】
ステップＣ１では、ＣＰＵ１１は、表示画面２０を上下左右の表示領域に分割する。具体的には、ＣＰＵ１１は、表示画面２０を直線２４によって上下に２等分し、かつ直線２７によって左右に２等分し、図３（ｂ）に示した左下表示領域２０ｃ、右下表示領域２０ｄ、左上表示領域２０ｅおよび右上表示領域２０ｆのように、４つの表示領域に分割する。
【００７４】
ステップＣ２では、ＣＰＵ１１は、表示画像を、縦横比を保持したまま、分割した表示領域に収まるように縮小する。たとえば、ＣＰＵ１１は、縦横をいずれも２分の１に縮小する。ステップＣ３では、ＣＰＵ１１は、ステップＣ２で縮小した表示画像を１８０度回転する。
【００７５】
ステップＣ４では、ＣＰＵ１１は、ステップＣ２で縮小した表示画像、つまり１８０度回転されていない縮小した表示画像を下の２つの表示領域に、ステップＣ３で回転した表示画像、つまり１８０度回転された縮小した表示画像を上の２つの表示領域に、それぞれ表示して、画面４分割処理を終了する。具体的には、ＣＰＵ１１は、ステップＣ２で縮小した表示画像を、左下表示領域２０ｃの中央および右下表示領域２０ｄの中央に配置し、かつステップＣ３で回転した表示画像を、左上表示領域２０ｅの中央および右上表示領域２０ｆの中央に配置するように合成し、合成した合成画像を、表示データ処理部１５に送り、ディスプレイ１４に表示させる。図７に示したステップＢ１または図８に示したステップＣ１は、分割ステップである。図７に示したステップＢ２または図８に示したステップＣ２は、縮小ステップである。図７に示したステップＢ４または図８に示したステップＣ４は、表示ステップである。
【００７６】
上述した実施形態では、画面を２分割または４分割したが、６分割以上、たとえば６分割あるいは８分割に分割することも可能である。具体的には、たとえば６分割の場合、ユーザは、左右方向に１回、および上下方向に２回、表示画面２０を分割するタッチ操作を行う。ＣＰＵ１１は、表示画面２０を、上下に２分割し、さらに左右に３分割して、６つの表示領域に分割する。タッチ開始・終了位置の判定するための領域は、上下方向を３つに等分し、かつ左右方向を５つに等分し、１５の領域に分割する必要がある。また、表示画像の縮小は、３分の１に縮小する。したがって、第２の線の数は、予め定める最大数、たとえば３以下の数、たとえば０，１，２，３などの数にすることができる。
【００７７】
このように、ディスプレイ１４は、画像を表示するための表示画面２０が水平に設置される。タッチパネル１６は、表示画面２０上に設けられ、表示画面２０内の位置を入力する。ＣＰＵ１１は、タッチパネル１６によって入力された位置に応じて表示画面２０を分割領域に分割し、表示画面２０に表示する表示画像を縮小し、縮小した縮小画像を、分割された各分割領域に表示する。したがって、ユーザは、表示画面２０内の位置を指示するだけの簡単な操作で表示画面２０を分割し、共通の画像をそれぞれの分割領域に表示することができる。
【００７８】
さらに、ディスプレイ１４の表示画面２０は、矩形であり、予め定める数の領域、たとえば９つの領域に分割される。タッチパネル１６は、表示画面２０の予め定める一辺、たとえば辺２５と平行な直線で表示画面２０を分割することを指示するための第１の線、たとえば線２３のタッチ開始位置およびタッチ終了位置を入力する。そして、ＣＰＵ１１は、第１の線のタッチ開始位置が前記予め定める数の領域のうちの１つの領域である第１の領域、たとえば左中央領域２０４にあり、かつ第１の線のタッチ終了位置が前記予め定める数の領域のうちの１つの領域である、第１の領域とは異なる第２の領域、たとえば右中央領域２０６にあるとき、前記予め定める一辺と平行な直線、たとえば直線２４で表示画面２０を分割する。したがって、ユーザは、指示具で表示画面２０に線を引くだけで、表示画面２０を２分割することができる。
【００７９】
さらに、ＣＰＵ１１は、各分割領域内に表示される前記縮小画像の上側を、前記直線に接する側に配置させる。したがって、表示装置１は、対面して着座するそれぞれのユーザに対して、上下方向が見易い方向に調整された表示画像を表示することができる。
【００８０】
さらに、タッチパネル１６は、前記予め定める一辺に直交する直線で表示画面２０を分割することを指示するための第２の線、たとえば線２６のタッチ開始位置およびタッチ終了位置をさらに入力する。そして、ＣＰＵ１１は、第２の線のタッチ開始位置が前記予め定める数の領域のうちの１つの領域である、第１の領域および第２の領域とは異なる第３の領域、たとえば上中央領域２０２にあり、かつ第２の線のタッチ終了位置が前記予め定める数の領域のうちの１つの領域である、第１の領域、第２の領域および第３の領域とは異なる第４の領域、たとえば下中央領域２０８にあるとき、前記予め定める一辺に直交する直線、たとえば直線２７で表示画面２０をさらに分割する。したがって、ユーザは、表示画面２０を予め定める一辺の方向にも分割することができる。
【００８１】
さらに、前記第２の線の数は、予め定める最大数、たとえば３以下の数を取り得る。したがって、ユーザは、予め定める一辺の方向の分割数を１から予め定める数＋１まで変化させることができ、人数に応じた分割を行うことができる。
【００８２】
さらに、ＣＰＵ１１は、第１の線のタッチ終了位置がタッチパネル１６によって入力された後、継続タッチ判定時間１３３内にタッチパネル１６によって入力されたタッチ位置を、第２の線のタッチ開始位置とする。したがって、表示装置１は、分割するために入力される位置以外の位置の入力による誤分割を低減することができる。
【００８３】
さらに、タッチパネル１６は、タブレットによって構成される。したがって、メーカは、容易にタッチパネル１６を形成することができる。
【００８４】
さらに、画像を表示するための表示画面２０が水平に設置されるディスプレイ１４と、表示画面上に設けられるタッチパネル１６とを含む表示装置１で実行される表示方法で画像を表示するにあたって、図６に示したステップＡ２〜ステップＡ１３では、タッチパネル１６によって表示画面２０内の位置が入力される。図７に示したステップＢ１または図８に示したステップＣ１では、図６に示したステップＡ２〜ステップＡ１３で入力された位置に応じて表示画面２０を分割領域に分割する。図７に示したステップＢ２または図８に示したステップＣ２では、表示画面２０に表示する表示画像を縮小する。そして、図７に示したステップＢ４または図８に示したステップＣ４では、図７に示したステップＢ２または図８に示したステップＣ２で縮小された縮小画像を、図７に示したステップＢ１または図８に示したステップＣ１で分割された各分割領域に表示する。したがって、ユーザは、表示画面２０内の位置を指示するだけの簡単な操作で表示画面２０を分割し、共通の画像をそれぞれの分割領域に表示することができる。
【符号の説明】
【００８５】
１  表示装置
２  ユーザ
３  指示具
１１  ＣＰＵ
１２  １次記憶装置
１３  ２次記憶装置
１４  ディスプレイ
１５  表示データ処理部
１６  タッチパネル
１７  タッチパネルデータ処理部
１８  時計
【図１】
0005950509.tif 000002
【図２】
0005950509.tif 000003
【図３】
0005950509.tif 000004
【図４】
0005950509.tif 000005
【図５】
0005950509.tif 000006
【図６】
0005950509.tif 000007
【図７】
0005950509.tif 000008
【図８】
0005950509.tif 000009